(57)【特許請求の範囲】
【請求項１】
杭本体の先端あるいは外周に、地中へのねじ込み作用を有する翼を設けた鋼管杭であって、
前記杭本体における前記翼の上方であって、かつ鋼管杭を施工した状態で地表面よりも地中側になる位置に、土砂が通過する切欠き部のない板体を、前記杭本体にフランジ状にあらかじめ固定するとともに、
杭頭部において、回転貫入施工に資する係合コマを、鋼管杭本体の内面の溶接ビードに沿わせ、かつ、回転貫入施工に際して、当該溶接ビードを押す側に配置し、溶接により固定したことを特徴とする鋼管杭。
【請求項２】
前記杭本体のヤング係数Ｅ、前記杭本体の断面二次モーメントＩ、水平地盤反力係数ｋｈ、杭径Ｄとしたときに、前記板体の取り付け高さを、地表面から1/（kh・D/（4EI））0.25以内の範囲としたことを特徴とする請求項１に記載の鋼管杭。
【請求項３】
前記杭の回転貫入施工により、前記翼から該翼の上部に設けた前記板体までの範囲の土を圧密してシリンダー状の根固め部を形成することを特徴とする請求項１又は２に記載の鋼管杭。
【発明の詳細な説明】
【技術分野】
【０００１】
本発明は、構造物を支持する杭に関し、特に、軟弱地盤でも水平抵抗と引き抜き抵抗を確保することができる鋼管杭に関する。
【背景技術】
【０００２】
昨今、大規模太陽光発電所、いわゆるメガソーラーの建設が増加している。メガソーラーの建設には港湾地区の埋立地や処分場跡地など、地盤が軟弱な未利用地も活用されている。また、太陽電池パネルを支持する架台の基礎に、杭基礎工法も採用されている。
【０００３】
太陽光発電用架台に用いる杭は、上部構造が軽量なため、小径（およそ50mmから100mm内外）杭が主流である。杭基礎は、その先端を支持層に到達させることが原則だが、長さ1〜2m程度の杭も多く見られる。
一般に、小径杭は、杭の周面摩擦力は多くは期待できず、特に表層部分ではその傾向が大きい。そのため、軟弱地盤ではソイルセメントを用いた表層地盤改良の併用や、先端翼あるいは螺旋翼を配した回転貫入鋼管杭を活用し、その翼の抵抗によって、支持力を得る工夫もなされている。回転貫入鋼管杭の施工は、杭頭部に係合コマを溶接で取り付け、杭打ち機の回転キャップ（カップリング）を係合させ、回転キャップの回転により鋼管杭を回転して地盤に貫入するのが一般的である。
【０００４】
また、特許文献１には、鋼管杭の周面摩擦支持力を向上させる工法が示されている。
特許文献１の鋼管杭は、下杭に上杭を接続する中空筒状の鋼管杭であって、下杭を施工した後に、先端側周面にフランジ部が固着された上杭を、土中に打ち込まれた下杭の上端側の一定部位まで嵌め込むように土中に打ち込んで上下杭を接続するものである。
【０００５】
この打ち込み工法は、下杭を回転させながら土中に圧入し、所定の深度に下杭の先端部分が到達したら回転動作を停止し、その後圧入のみで下杭を土中にさらに圧入し、次いで上杭を下杭に嵌め込んで上杭のみを回転させながら土中に圧入し、所定の深度に上杭の先端部分が到達したら回転動作を停止し、その後圧入することで下杭の鍔部でもみほぐされた土壌を上杭のフランジ部で圧密するものである。
【０００６】
また、特許文献２には、「杭本体と、該杭本体の下端側に設けられ、杭本体の回転により地盤を掘り進む少なくとも一部に螺旋部を有する推進翼と、前記杭本体の上端部に設けられ、構造物を支持する支持部と、前記杭本体の長手方向中間部に設けられ、推進翼によって乱された地盤を杭本体の推進力により押し固める押圧翼とを備えた基礎杭」（特許文献２の請求項１参照）が示されている。
【先行技術文献】
【特許文献】
【０００７】
【特許文献１】特開2005-171621号公報
【特許文献２】特開2014-077299号公報
【発明の概要】
【発明が解決しようとする課題】
【０００８】
上述したもののうち、ソイルセメントによる地盤改良は、土壌の原状復帰ができないという問題がある。
また、回転貫入鋼管杭は、施工時に翼の範囲の土を乱すため、施工後一定の時間が経過するまで設計耐力が期待できず、特に、軟弱地盤では、回復に長い時間がかかるという問題がある。
さらに、特許文献１における鋼管杭は、先に下杭を施工し、次いで上杭に下杭の上部を挿入するように上杭を施工する。上杭の施工に関しては、一定範囲まで回転貫入により施工し、その後さらに圧入し、最後に下杭に接続するものであり、施工に非常に多くの手間と時間がかかるという問題がある。
【０００９】
また、下杭の上杭内に挿入される長さは、望ましくは上杭の２／３以上であるとされており、下杭と上杭の重複範囲が多いため、材料費が大幅に上昇するという問題がある。
さらに、特許文献１における鋼管杭は、硬質地盤に到達した下杭に取り付けられた鍔部と上杭のフランジで地盤を圧密し、圧密層と杭周辺地盤との周面摩擦を期待することから、本発明の鋼管杭が施工地盤の一つとして想定している軟弱地盤のように杭先端が硬質の支持層に達しない用途においては、下杭に取り付けられた鍔部で十分に圧密のための反力をとることができないため、活用することができないという問題もある。
【００１０】
そして、特許文献２における鋼管杭は、本発明と趣旨を同じくする押圧翼を有するものであるが、回転貫入施工にともない、回転貫入トルクが増大するため、施工時に杭頭部が損傷する可能性がある。この点、発明者は、杭頭部を一般に用いられる係合コマを配して押圧翼を有する鋼管杭の施工実験を行なったところ、回転トルクが上昇し、杭頭部が溶接ビード部で破壊して杭の施工が不能となった。図６は、このときの杭頭部の写真であり、杭頭部がビード部でコ字状に避けて鋼管内部に設けた係合コマが外方に張り出している状態が示されている。
【００１１】
特許文献２における鋼管杭は、杭頭部に予め支持部が取り付けられていることによって杭頭が補強された構造となっているため、杭頭破壊のリスクは小さい。
しかし、一般の杭打ち機の回転冶具が使用できず、専用冶具が必要である。また、貫入不良（高止まり）が生じた場合には、杭頭を切断し、改めて支持部を取り付ける必要が生じる。この貫入不良は、回転貫入施工と圧密を同時に行なう場合、より生じやすくなるため、支持部の再取り付けの必要性が高く、施工性が悪いという問題がある。
【００１２】
本発明は、上記の課題を解決するためになされたものであり、回転貫入施工によって、鋼管杭そのもので杭周面の地盤を圧密し、周囲地盤との周面摩擦抵抗を増大させることにより、軟弱地盤の表層部で打ちとめても、所定の鉛直支持力、引き抜き力、水平抵抗力を発揮することができる鋼管杭を、より健全に得ることを目的とする。
【課題を解決するための手段】
【００１３】
（１）本発明に係る鋼管杭は、杭本体の先端あるいは外周に、地中へのねじ込み作用を有する翼を設けた鋼管杭であって、前記杭本体における前記翼の上方であって、かつ鋼管杭を施工した状態で地表面よりも地中側になる位置に、土砂が通過する切欠き部のない板体を、杭軸方向と直交してフランジ状にあらかじめ固定するとともに、
杭頭部において、回転貫入施工に資する係合コマを、鋼管杭本体の内面の溶接ビードに沿わせ、かつ、回転貫入施工に際して、当該溶接ビードを押す側に配置し、溶接により固定したことを特徴とするものである。
【００１４】
（２）また、上記（１）に記載のものにおいて、前記杭本体のヤング係数Ｅ、前記杭本体の断面二次モーメントＩ、水平地盤反力係数ｋｈ、杭径Ｄとしたときに、前記板体の取り付け高さを、地表面から1/（kh・D/（4EI））0.25以内の範囲としたことを特徴とするものである。
【００１５】
（３）また、上記（１）又は（２）に記載ものにおいて、前記杭の回転貫入施工により、前記翼から該翼の上部に設けた前記板体までの範囲の土を圧密してシリンダー状の根固め部を形成することを特徴とするものである。
【発明の効果】
【００１６】
本発明においては、杭本体の先端あるいは外周に、地中へのねじ込み作用を有する翼を設けた鋼管杭であって、前記杭本体における前記翼の上方であって、かつ鋼管杭を施工した状態で地表面よりも地中側になる位置に、土砂が通過する切欠き部のない板体を、杭軸方向と直交してフランジ状にあらかじめ固定したことにより、回転貫入施工をするだけで、前記翼と前記板体の間にある土を圧密して圧密部を形成し、この圧密部の周面と周囲地盤との摩擦抵抗により、軟弱地盤の表層部で打ちとめても、所定の鉛直支持力、引き抜き力を発揮し、特に、切欠き部のない板体の直下での圧密が大きくなって杭本体の固定度が向上するため、水平抵抗の増大もはかることができる。
【図面の簡単な説明】
【００１７】
【図１】本発明の一実施の形態に係る鋼管杭の説明図である。
【図２】本発明の一実施の形態に係る鋼管杭の施工方法を説明する説明図である（その１）。
【図３】本発明の一実施の形態に係る鋼管杭の施工方法を説明する説明図である（その２）。
【図４】本発明の一実施の形態に係る鋼管杭の施工方法を説明する説明図である（その３）。
【図５】本発明の一実施の形態に係る鋼管杭の杭頭部の構造を説明する説明図である。
【図６】本発明が解決しようとする課題を説明する写真であって、従来例で施工した場合の杭頭部の状態を示すものである。
【発明を実施するための形態】
【００１８】
本発明の一実施の形態に係る鋼管杭は、図１に示すように、杭本体３の先端に地中へのねじ込み作用を有する先端翼５を設けた鋼管杭１であって、杭本体３における先端翼５の上方であって、かつ鋼管杭を施工した状態で地表面よりも地中側になる位置に、土砂が通過する切欠き部のない板体７を杭本体３にフランジ状にあらかじめ固定したものである。
以下、各構成を詳細に説明する。
【００１９】
＜杭本体＞
杭本体３は、図１に示すものはその断面形状が円形であるが、本発明の鋼管杭の杭本体の断面形状は円形に限定されず、例えば多角形断面のものも含む。
【００２０】
＜先端翼＞
先端翼５は、杭本体３の先端に設けられており、地中へのねじ込み作用を有するものである。先端翼５の形状は、例えば図１に示されるように、２枚の半円状の平板を互いに反対方向に傾斜させて固定したものである。
もっとも、先端翼５の形状は図１に示したものに限定されず、回転貫入施工に資する機能を有し、かつ回転貫入により、その上方に土を排出する機能を有していれば任意の形状でよく、例えば、螺旋形状のものや、一枚の平板に径方向の切欠きを設け、切欠き部を傾斜させたものであってもよい。
また、先端翼５の形状についても、矩形、多角形、あるいは矩形の一部を円弧状に加工した形状など、任意の形状でよい。
またさらに、図１に示した例では、先端翼５として、翼は杭本体３の先端に設けられているが、本発明の翼はこれに限られず、杭本体３の外周部に設けられていてもよい。
【００２１】
先端翼５の外径寸法は、杭径の2倍以上が望ましく、軟弱地盤で使用する場合には、杭径の3倍以上がより望ましい。これによって、先端支持力を十分に確保できるからである。
【００２２】
＜板体＞
板体７は、土砂が通過する切欠き部のない板状体であり、杭軸方向と直交してフランジ状にあらかじめ固定されている。
固定方法は溶接や機械的手段のいずれでもよい。板体７の形状は、図１の例では平板からなる円盤状のものを示しているが、回転貫入施工に際して、その上部に土砂を排出しない閉塞形状であれば形状は限定されず、多角形でもよく、さらには、平板ではなく、湾曲したものや、あるいはキャップ形状であってもよい。またさらには、平板にエンボス状の加工やリブを設けたものでもよい。板体７の板厚は杭本体３の板厚と同等以上が望ましい。
【００２３】
板体７の外径は、原則として先端翼５の外径と同じにするが、鋼管杭１を施工する地盤９が著しく軟弱な場合には、適宜寸法を拡大してもよい。
なお、本発明において想定する地盤９は軟弱地盤であるが、表層のみ強固な盛土層や、地盤９が強固であって、あるいは圧密反力が大きくなる場合には、外径を先端翼５の外径よりも小さくして、回転貫入の推進力、が勝るようにしてもよい。以上の理由から、板体７の外径は、先端翼５の外径に対して0.8倍〜1.2倍の範囲とすればよい。
【００２４】
板体７の取り付け位置は、杭を施工した状態で、地表面よりも地中側になるように配置している。より具体的には、地表面からの深さが、先端翼５の外径の3倍程度の深さ以下となる範囲を目安とする。この理由は、板体７の固定位置が先端翼５に近づきすぎると、鋼管杭１の貫入が難しくなるからである。
また、杭本体３のヤング係数Ｅ、杭本体３の断面二次モーメントＩ、水平地盤反力係数ｋｈ、杭径Ｄとしたときに、鋼管杭１に対して水平抵抗となる有効深さは、1/（kh・D/（4EI））0.25として与えられるが、空隙部１５がこの深さ程度になるように板体７の固定位置を設定し、このときに形成される空隙部１５にコンクリートブロック１７等の剛体を組み入れることで、水平抵抗を増加させるようにしてもよい。
【００２５】
＜杭頭部＞
鋼管杭１の杭頭部には、杭打ち機の回転キャップ（カップリング）を係合させ、回転キャップの回転により鋼管杭１を回転して地盤に貫入するために、係合コマ２０を溶接で取り付けている（図５参照）。その取付け位置は、例えば、太陽光発電用架台の支柱として用いた場合に、上部架台部材取り付けのためのガセットを、施工後に取り付けるのに支障のないように、杭本体３の内面としている。その際、係合コマ２０は、内面に盛り上がっている杭本体３を構成する鋼管の溶接ビード２１に沿わせて配置されている。これにより、係合コマ２０の位置決めと、鉛直性確保を容易にしている。さらに、係合コマ２０は、回転貫入施工時に、溶接ビード２１を押す側になるように配置されているため、回転貫入施工時に、強度上の弱点となる溶接ビード２１を引張らず、健全性を保つことができる。
【００２６】
以上のように構成された本実施の形態の鋼管杭１の機能を、施工方法と共に図２〜図５に基づいて説明する。
鋼管杭１を回転させることにより、先端翼５は、その下面の土を上方に排出しながら地盤９に貫入し、図１に示すように、先端翼５の上方に地盤９が先端翼５によってかく乱され周囲地盤よりも密度が低下した土壌かく乱部１１が形成される。
【００２７】
鋼管杭１の回転施工をさらに継続すると、板体７が地表面に到達し、図３に示すように、さらに土中に貫入する。鋼管杭１の貫入量が増加するのに伴い、先端翼５がその上方に排出する土が増加し、土壌かく乱部１１の深さは増加していくが、板体７が地盤９の表面に到達した後は、先端翼５と板体７との距離が不変のため、先端翼５と板体７で挟まれた領域で土が圧密され、シリンダー状の根固め部１３が形成される。
【００２８】
この工程で、回転貫入トルクが増大するため、杭頭部の係合コマ２０の部分の応力が増大し、ともすると鋼管杭の溶接ビードが破断して施工不能になる場合がある。この点、本発明では、係合コマ２０は、回転貫入施工時に強度上の弱点となる溶接ビード２１を押す位置に配置されているため、施工時トルクが増大しても溶接ビード部を破断させることはない。
【００２９】
上記工程によって、根固め部１３が形成されることにより、回転貫入施工によって乱された杭周囲と地盤９との周面摩擦力は早期に回復する。
この際、図３に示すように、板体７の上方には、圧密した分だけ空隙部１５が形成される。
【００３０】
この空隙部１５には、前述したように、コンクリートブロック１７等の剛体を組み入れることで、水平抵抗を増加させるようにしてもよい（図４参照）。
【００３１】
上記のように施工された鋼管杭１は、先端翼５と板体７によってその間に存在する土を拘束している。そのため、鋼管杭１に引抜、あるいは押し込み力が作用しても、根固め部１３（圧密層）と鋼管杭１の間にずれが生じず、摩擦力は作用しない。
また、根固め部１３は、圧密によって周囲地盤よりも締め固められるとともに、外周方向にはらみ出すため、根固め部１３の周面と地盤９との摩擦が増加し、先端翼５の外径を周面長として周面摩擦力を期待することができる。
したがって、本発明の鋼管杭１は、軟弱地盤の表層部で打ちとめても、所定の鉛直支持力、引き抜き力を発揮することができる。
さらに、板体７の直下での圧密が大きくなるため、鋼管杭１の固定度が向上し、水平抵抗の増大、すなわち、杭頭変位を抑制することもできる。
【実施例１】
【００３２】
上記の実施の形態で示した鋼管杭の具体例を以下に示す。
全長は3m、外径101.6mm、板厚は4.2mmの鋼管を杭本体とし、杭先端には、杭本体の外径の2倍の寸法の半円形の先端翼５が、図１に示すように、立面視で交互になるように取り付けられている。先端翼５の板厚は12mmとした。
また、地中への埋め込み深さを2mとして、杭頭部を1m、地盤９から突出させて、上部構造の支柱として活用できるようにしている。
杭頭部から先端に向って1.5m位置には、先端翼５と外形を同じにしたドーナツ状の平板(本発明の板体に相当)をはめ込み、溶接によって固定した。平板の板厚は、4.2mmとしたが、杭本体の板厚と同等以上が望ましい。
上記寸法は、鋼管杭が施工される地盤の地耐力、作用外力によって適宜変更される。
杭頭部には、図５に示すように、回転貫入施工用の直方体の係合コマ２０が、その杭本体３の内面で、かつ溶接ビード２１に沿って配置、固定されている。この例では、平面視で右回りで回転貫入施工する設計としているため、係合コマ２０を、図５に示すように、溶接ビード２１を平面視で図中上側にしたとき、その左側の位置とした。
【実施例２】
【００３３】
実施例２では、杭本体に固定する平板（本発明の板体に相当）の取り付け位置について、より望ましい事例を示す。
鋼管の径Dは、48.6mm、板厚ｔは2.3mm、全長Lは1.5mで、杭頭部を500mm地表から突出させており、埋め込み深さｌは1mである。先端翼の径は、150mmである。鋼材のヤング係数Eは205000N/mm2、鋼管の断面二次モーメントIは、89867mm4である。
【００３４】
鋼管杭を施工する地盤は砂質地盤で、N値1.5、単位体積重量は1.62kg/m3、含水率は14％である。地盤反力係数ｋhは、20,000kN/m3で、これは、水平載荷試験の変位10mm時の荷重と変位から、弾性支承梁理論に基づいて求めた変位をあわせる形で逆算的に求めた値を使用したが、この方法に限定はしない。ここで、鋼管杭の水平抵抗としての有効深さ、すなわち1/（kh・D/（4EI））0.25が525mmであったので、平板の地表面からの取り付け深さはここでは500mmに設定した。特に計算を行わない場合には、略算的に先端翼５の外径の３倍程度以下を目安とすればよい。
【００３５】
上記のように構成された本実施例２の鋼管杭を回転貫入施工すると、先端翼上部に排出する土は増加し、土壌かく乱部の深さは増加していくが、平板が地盤の表面に到達した後は、先端翼と平板との距離は不変のため、先端翼と平板で挟まれた領域で土が圧密され、シリンダー状の根固め部が形成され、平板の上部は、圧密した分だけ空隙部が形成される。ここでは、根固め部は周囲地盤に対して２倍に圧密されている。これにより、回転貫入施工によって乱された杭周囲の地盤は早期に回復する。
【００３６】
先端翼と平板の範囲で土を拘束しているため、引抜、あるいは押し込み力が作用しても、根固め部（圧密層）と杭本体の間に、ずれが生じないため、摩擦力は作用しない。根固め部は、圧密によって周囲地盤よりも締め固められるとともに、外周方向にはらみ出すため、根固め部の周面と地盤との摩擦が増加し、先端翼の外径を周面長として周面摩擦力を期待することができる。杭径Dと先端翼の外径との比は約３倍であり、周面摩擦力は、その周長に比例するので、周面摩擦力は3倍となる。
【実施例３】
【００３７】
実施例１で示した鋼管杭における平板の取付位置は、杭頭から1500mmである。施工した状態では、平板の上方には深さ500mmの円筒形の空隙部が形成される。この空隙部が形成される範囲は、水平抵抗に寄与する部分のため、図４に示したように、当該空隙部には、モルタル、コンクリート等の充填材を用い、少なくとも周囲の地盤よりも硬くすることで、水平抵抗を向上させるとともに、その重量によって引抜力をより増加させる。充填材として、バラストを先行して充填してセメントミルクを充填する方法や、鉄鋼スラグ水和物固化体を用いてもよく、略同径のコンクリートブロックを用いてもよい。
【符号の説明】
【００３８】
１  鋼管杭
３  杭本体
５  先端翼
７  板体
９  地盤
１１  土壌かく乱部
１３  根固め部
１５  空隙部
１７  コンクリートブロック
２０  係合コマ
２１  溶接ビード
【図５】
0005962728.tif 000002
【図１】
0005962728.tif 000003
【図２】
0005962728.tif 000004
【図３】
0005962728.tif 000005
【図４】
0005962728.tif 000006
【図６】
0005962728.tif 000007